(57)【要約】      （修正有）【課題】ウキ内部にある電池や接点部分が腐食するトラブルがなく、コストが安く、バランスのよい高感度な釣り用電気ウキを提供する。【解決手段】電気ウキは、中空密閉容器１の中に電池５、発光素子６及び電子式リレーのスイッチ部の基板７を備えており、電子式リレーのスイッチ部分となる２つの端子８、９は中空密閉容器１の外部に露出し、また中空密閉容器１の凹み１０にあり、また中空密閉容器１の輪郭より突出していない。中空密閉容器１は発光部２と非発光部３で構成され、中空密閉容器１の回転中心軸には貫通穴４があり、発光部２は光透過性の樹脂で出来ており、内側にダイヤモンドカットが施されているが、非発光部３は光透過性がない樹脂で出来ている。【選択図】図１
0003163969.tif 000002
【実用新案登録請求の範囲】
【請求項１】
中空密閉容器内に電池およびＬＥＤ等の発光体を有し、かつ中空密閉容器の外側に露出した端子を有し、前記端子に海水等水分が接することにより発光を呈することを特徴とした電気ウキ。
【請求項２】
前記中空密閉容器が内側あるいは外側にダイヤモンドカットが施された光透過性材料の発光部と非光透過性の非発光部からなることを特徴とした請求項１記載の電気ウキ。
【請求項３】
端子が前記中空密閉容器の凹んだ部分に位置し、前記中空密閉容器の輪郭より突出していないことを特徴とする請求項１記載の電気ウキ。
【考案の詳細な説明】
【技術分野】
【０００１】
本考案は、釣り用の電気ウキに関するものである。
【背景技術】
【０００２】
ＬＥＤまたは豆電球を使用した夜釣り用の電気ウキは、その殆どが回転体形状であり、ウキ本体を上下に２分割してネジによって接合する構造となっている。電源を入れるためには釣場で電気ウキ本体を二つに分けて、内部のスイッチを入れるか、または電池をソケットに差し込む必要があった。
【０００３】
しかしながら、電源を入れるためには釣場で電気ウキ本体を二つに分けて、内部のスイッチを入れるか、または電池をソケットに差し込む方法では海水が付着した指先での操作となりやすく、電池や接点部分が腐食するトラブルが多発していた。また、ネジを用いるため、雄ねじ雌ねじの厚さによって本体の直径が大きくなってしまい高感度な小型ウキの制作が難しいという欠点を有していた。
【０００４】
また、ウキの外部からスイッチを押す構造も考えられるが、防水のための新しい部品が必要となるためコスト増加を招く、またウキの中心部から外れた位置に配置されたスイッチ関連パーツの重さによって水平に浮くためのバランスを取るのが困難となっていた。
【先行技術文献】
【特許文献】
【０００５】
【特許文献１】特開平７−２４６０５１号公報
【考案の概要】
【考案が解決しようとする課題】
【０００６】
本考案はウキ内部にある電池や接点部分が腐食するトラブルがなく、コストが安く、バランスのよい高感度な釣り用電気ウキを提供する。
【課題を解決するための手段】
【０００７】
本考案はウキを密封構造にすることとスイッチを電子式のリレーにして基板上に配置することで、ウキの本体から外部に露出した二つの接点に海水や淡水などの通電物質が付着してスイッチがＯＮとなり、導電物質が離れることでスイッチがＯＦＦとなることを特徴とする。
【考案の効果】
【０００８】
本考案の電気ウキは密閉されることで電池や接点など内部の金属部品に塩水が触れることがなくなり前記金属部品は腐食を発生しない、また海面から離れるたびにＬＥＤが消灯することで電池の消耗を防ぎ長時間の使用が可能になるという利点がある。
【図面の簡単な説明】
【０００９】
【図１】図１は本発明の一実施例を示す電気ウキの断面図である。
【図２】図２は図１の電気ウキの左側面である。
【考案を実施するための形態】
【００１０】
本考案の電気ウキの実施形態を図面を参照しながら説明する。
＜実施例１＞
中空密閉容器１は長さ３２ｍｍ、直径２５ｍｍの回転体形状で、直径３ｍｍの貫通穴がある。
【００１１】
中空密閉容器１は発光部２と非発光部３で構成され、前記中空密閉容器１の回転中心軸には貫通穴４がある。本実施例では発光部２は光透過性の樹脂で出来ており、内側にダイヤモンドカットが施されている。ダイヤモンドカットにより発光素子６からの光が散乱して発光部２全体をより均一に発光させることが出来る。また、ダイヤモンドカットにより太陽光を乱反射させることで視認性が向上して、夜間だけでなく昼間もウキとして使用することが出来る。また、本実施例では発光部２の内側にダイヤモンドカットが施されているが、発光部２の外側にダイヤモンドカットが施されていてもよい。また、樹脂は光透過性があれば色が付いていてもよい。一方、発光部３は光透過性がない樹脂で出来ている。
【００１２】
上記のように構成された中空密閉容器１の中には電池５、発光素子６及び電子式リレーのスイッチ部の基板７を備えている。本実施例では電池５は小型のボタン型電池であるが、ピン型および円筒型など使い捨ての一次電池を使用することも、充電式電池を装着し、端子を通じて充電することも可能である。また電気二重層コンデンサーを使用すれば数秒のチャージで数時間の使用が可能となる。また、本実施例では発光素子６はＬＥＤが用いられているが豆電球等の発光素子でもよい。
【００１３】
中空密閉容器１の形状は本実施例のような従来からのネジでの螺合を前提とした回転体形状でなくても構わない。接着剤や超音波溶封で密封するために形状は自由である。棒ウキ型、中通し型、環付型、玉ウキ型、斜めウキ型、船型などが考えられる。棒ウキ型の場合は、本体に白色ＬＥＤを内蔵し、色が違うトップの棒を差し替えることで、１個のウキを多色に使うことが可能になる。
【００１４】
電子式リレーのスイッチ部分となる２つの端子８、９は中空密閉容器１の外部に露出している。また、２つの端子８、９は中空密閉容器１の凹み１０にある。したがって、界面から取り出した際に凹んだ部分に残った水分によりすぐに光が消えないので、仕掛けの取り替え時に手元が見えるという効果がある。また、２つの端子８、９は中空密閉容器１の輪郭より突出していない。したがって、糸が絡み難いという効果がある。
【符号の説明】
【００１５】
１・・・中空密閉容器
２・・・発光部
３・・・非発光部
４・・・貫通穴
５・・・電池
６・・・発光素子
７・・・電子式リレーのスイッチ部の基板
８、９・・・端子
１０・・・凹み
【図１】
0003163969.tif 000003
【図２】
0003163969.tif 000004
【手続補正書】
【提出日】平成22年9月8日(2010.9.8)
【手続補正１】
【補正対象書類名】実用新案登録請求の範囲
【補正対象項目名】請求項１
【補正方法】変更
【補正の内容】
【請求項１】
中空密閉容器内に電池、ＬＥＤ等の発光素子および回路基板を有し、かつ中空密閉容器の外側に前記回路基板の回路に接続している２本の露出した端子を有し、前記２本の露出した端子間に海水等水分が接することにより前記回路基板の回路に電流が流れて、前記発光素子が発光を呈することを特徴とした電気ウキ。
【手続補正２】
【補正対象書類名】明細書
【補正対象項目名】全文
【補正方法】変更
【補正の内容】
【考案の詳細な説明】
【技術分野】
【０００１】
本考案は、釣り用の電気ウキに関するものである。
【背景技術】
【０００２】
ＬＥＤまたは豆電球を使用した夜釣り用の電気ウキは、その殆どが回転体形状であり、ウキ本体を上下に２分割してネジによって接合する構造となっている。電源を入れるためには釣場で電気ウキ本体を二つに分けて、内部のスイッチを入れるか、または電池を内部のソケットに差し込む必要があった。
【０００３】
しかしながら、電源を入れるためには釣場で電気ウキ本体を二つに分けて、内部のスイッチを入れるか、または電池をソケットに差し込む方法では海水が付着した指先での操作となりやすく、電池や接点部分が腐食するトラブルが多発していた。また、ネジを用いるため、雄ねじ雌ねじの厚さによって本体の直径が大きくなってしまい高感度な小型ウキの制作が難しいという欠点を有していた。
【０００４】
また、ウキの外部からスイッチを押す構造も考えられるが、防水のための新しい部品が必要となるためコスト増加を招く、またウキの中心部から外れた位置に配置されたスイッチ関連パーツの重さによって水平に浮くためのバランスを取るのが困難となっていた。
【先行技術文献】
【特許文献】
【０００５】
【特許文献１】特開平７−２４６０５１号公報
【考案の概要】
【考案が解決しようとする課題】
【０００６】
本考案はウキ内部にある電池や接点部分が腐食するトラブルがなく、コストが安く、バランスのよい高感度な釣り用電気ウキを提供する。
【課題を解決するための手段】
【０００７】
本考案はウキを密封構造にすることとスイッチを電子式のリレーにして回路基板上に配置することで、ウキの本体から外部に露出した二つの端子間に海水や淡水などの導電物質が付着してスイッチがＯＮとなり、導電物質が離れることでスイッチがＯＦＦとなることを特徴とする。
【考案の効果】
【０００８】
本考案の電気ウキは密閉されることで電池や接点など内部の金属部品に塩水が触れることがなくなり前記金属部品は腐食を発生しない、また海面から離れるたびにＬＥＤが消灯することで電池の消耗を防ぎ長時間の使用が可能になるという利点がある。
【図面の簡単な説明】
【０００９】
【図１】本発明の一実施例を示す電気ウキの断面図
【図２】図１の電気ウキの左側面
【図３】回路基板７の回路図の一例
【考案を実施するための形態】
【００１０】
本考案の電気ウキの実施形態を図面を参照しながら説明する。
＜実施例１＞
中空密閉容器１は長さ３２ｍｍ、直径２５ｍｍの回転体形状で、直径３ｍｍの貫通穴がある。
【００１１】
中空密閉容器１は発光部２と非発光部３で構成され、前記中空密閉容器１の回転中心軸には貫通穴４がある。本実施例では発光部２は光透過性の樹脂で出来ており、内側にダイヤモンドカットが施されている。ダイヤモンドカットにより発光素子６からの光が散乱して発光部２全体をより均一に発光させることが出来る。また、ダイヤモンドカットにより太陽光を乱反射させることで視認性が向上して、夜間だけでなく昼間もウキとして使用することが出来る。また、本実施例では発光部２の内側にダイヤモンドカットが施されているが、発光部２の外側にダイヤモンドカットが施されていてもよい。また、樹脂は光透過性があれば色が付いていてもよい。一方、発光部３は光透過性がない樹脂で出来ている。
【００１２】
上記のように構成された中空密閉容器１の中には電池５、発光素子６及び電子式リレーのスイッチの回路基板７を備えている。本実施例では電池５は小型のボタン型電池であるが、ピン型および円筒型など使い捨ての一次電池を使用することも、充電式電池を装着し、端子を通じて充電することも可能である。また電気二重層コンデンサーを使用すれば数秒のチャージで数時間の使用が可能となる。また、本実施例では発光素子６はＬＥＤが用いられているが豆電球等の発光素子でもよい。また、回路基板７の回路としては図３のような回路図が考えられる。中空密閉容器の外側に露出した２本の端子８，９が濡れていない状態ではトランジスタ１１のベースＢに電流が流れないので、コレクターＣとエミッタＥ間に電流が流れず、発光素子６は発光しない。一方、電気ウキを海水面に着水させると中空密閉容器の外側に露出した２本の端子８，９間に海水等水分が接することにより、トランジスタ１１のベースＢに電流が流れるので、コレクターＣとエミッタＥ間に電流が流れて、発光素子６が発光する。
【００１３】
中空密閉容器１の形状は本実施例のような従来からのネジでの螺合を前提とした回転体形状でなくても構わない。接着剤や超音波溶封で密封するために形状は自由である。棒ウキ型、中通し型、環付型、玉ウキ型、斜めウキ型、船型などが考えられる。
【００１４】
電子式リレーのスイッチとなる２つの端子８、９は中空密閉容器１の外部に露出している。また、２つの端子８、９は中空密閉容器１の凹み１０にある。したがって、界面から取り出した際に凹んだ部分に残った水分によりすぐに光が消えないので、仕掛けの取り替え時に手元が見えるという効果がある。また、２つの端子８、９は中空密閉容器１の輪郭より突出していない。したがって、糸が絡み難いという効果がある。
【符号の説明】
【００１５】
１・・・中空密閉容器
２・・・発光部
３・・・非発光部
４・・・貫通穴
５・・・電池
６・・・発光素子
７・・・回路基板
８、９・・・端子
１０・・・凹み
１１・・・トランジスタ
１２、１３・・・抵抗
【手続補正３】
【補正対象書類名】図面
【補正対象項目名】図３
【補正方法】追加
【補正の内容】
【図３】
0003163969.tif 000005